(57)【要約】【課題】棒状化粧料の棒状体からの離脱を十分に防止し化粧料容器の品質を向上する。【解決手段】棒状体３をカップ状の容器２の底部に挿通し、この棒状体３の第一突部３ｃを容器２の底部内面に掛止した状態で、容器２内に位置する棒状体３先端部の周面に棒状化粧料Ｍを保持して、当該棒状化粧料Ｍを容器２内に収容すると共に、棒状体３を摺動可能として棒状化粧料Ｍを容器２から押出可能とし、この棒状化粧料Ｍを保持する先端部を、棒状化粧料Ｍとの接触面積を拡大すると共に棒状化粧料Ｍの離脱の妨げとなる大径先端部３ａとして、棒状化粧料Ｍの保持力を従来に比して増大し、加えて、容器２の底部内面に棒状体３の第一突部３ｃを掛止し、棒状体３を引き込み過ぎての容器２による棒状化粧料Ｍの棒状体３からの剥離を防止して成る。【選択図】  図３
2004290276.tif 000002
【特許請求の範囲】
【請求項１】
カップ状の容器と、
前記容器の底部を挿通し摺動可能とされると共に先端側が前記容器内に進入して成る棒状体と、を具備し、
前記棒状体は、先端部が、軸径に比して大径とされると共に、この大径先端部より後端部側に配置され、前記大径先端部が前記容器内に没する状態で前記容器の底部内面に掛止されて当該棒状体のそれ以上の後端部側への移動を阻止する第一突部を備え、
この棒状体の第一突部が前記容器の底部内面に掛止した状態で、容器内に位置する前記大径先端部の周面に棒状化粧料を保持して成る化粧料容器。
【請求項２】
前記第一突部は、環状の鍔部とされ、
前記棒状体は、当該棒状体の第一突部が前記容器の底部内面に掛止した状態で、当該棒状体の容器内の部分の周面に、容器内に充填され固化された棒状化粧料を保持して成る請求項１記載の化粧料容器。
【請求項３】
前記大径先端部は、貫通孔を備えることを特徴とする請求項１又は２記載の化粧料容器。
【請求項４】
前記大径先端部は、角部の無い形状に構成されていることを特徴とする請求項１〜３の何れか一項に記載の化粧料容器。
【請求項５】
前記棒状体は、前記第一突部より後端部側で前記容器外の位置に、前記容器の底部外面に掛止されて当該棒状体の前記容器からの出過ぎを阻止する第二突部を備えることを特徴とする請求項１〜４の何れか一項に記載の化粧料容器。
【請求項６】
前記棒状体が挿通する前記容器底部の貫通孔は、その周面の二箇所以上に、軸線方向に突出し前記棒状体との間に摩擦抵抗を生じる突部を備えることを特徴とする請求項１〜５の何れか一項に記載の化粧料容器。
【発明の詳細な説明】
【０００１】
【発明の属する技術分野】
本発明は、棒状化粧料を容器から出没可能とする化粧料容器に関し、詳しくは、簡易な構造で安価に供される化粧料容器に関する。
【０００２】
【従来の技術】
この種の簡易な構造で安価に供される化粧料容器としては、外筒の底部を小径部として、この小径部に中空の内筒を摺動自在に挿通すると共に、当該内筒の先端部に、外筒の小径部に掛止可能な鍔部を設け、この外筒の小径部と内筒の鍔部とが掛止した状態で、外筒内から内筒の先端部内側迄、化粧料が充填・固化されて棒状化粧料とされた使い捨ての化粧料容器が知られている（例えば、特許文献１参照）。
【０００３】
【特許文献１】
実公平６−２１３９１号公報
【０００４】
【発明が解決しようとする課題】
しかしながら、上記公報に記載の化粧料容器にあっては、中空の内筒の先端部内側のみで棒状化粧料を保持しているため、当該化粧料が内筒から軸線方向に離脱し易く、品質的に問題がある。
【０００５】
本発明は、このような課題を解決するために成されたものであり、棒状化粧料の離脱が十分に防止され、品質が向上される化粧料容器を提供することを目的とする。
【０００６】
【課題を解決するための手段】
本発明による化粧料容器は、カップ状の容器と、容器の底部を挿通し摺動可能とされると共に先端側が容器内に進入して成る棒状体と、を具備し、棒状体は、先端部が、軸径に比して大径とされると共に、この大径先端部より後端部側に配置され、大径先端部が容器内に没する状態で容器の底部内面に掛止されて当該棒状体のそれ以上の後端部側への移動を阻止する第一突部を備え、この棒状体の第一突部が容器の底部内面に掛止した状態で、容器内に位置する大径先端部の周面に棒状化粧料を保持して成る。
【０００７】
このような化粧料容器によれば、カップ状の容器の底部を挿通する棒状体は、その第一突部が容器の底部内面に掛止した状態で、その先端部が容器内に位置して当該先端部の周面に棒状化粧料を保持し、当該棒状化粧料が容器内に収容されると共に、棒状体が摺動可能とされ当該棒状化粧料が容器から押出可能とされる。この棒状化粧料を保持する先端部は、棒状化粧料との接触面積を拡大すると共に棒状化粧料の離脱の妨げとなる大径先端部とされているため、棒状化粧料の保持力が従来に比して増大され、加えて、容器の底部内面に棒状体の第一突部が掛止されるため、棒状体を引き込み過ぎての容器による棒状化粧料の棒状体からの剥離が防止される。
【０００８】
ここで、第一突部は、環状の鍔部とされ、棒状体は、当該棒状体の第一突部が容器の底部内面に掛止した状態で、当該棒状体の容器内の部分の周面に、容器内に充填され固化された棒状化粧料を保持して成ると、容器内に充填される化粧料が、第一突部である環状の鍔部より下方へ流れ出ることが防止されると共に、棒状化粧料が、大径先端部と環状の鍔部との間に挟持されるように保持されるため、保持力が一層増大される。
【０００９】
また、大径先端部は、貫通孔を備えていると、この貫通孔が、棒状化粧料との接触面積を一層拡大すると共に棒状化粧料の離脱の一層の妨げとなる。
【００１０】
また、大径先端部は、角部の無い形状に構成されていると、使用に従って棒状化粧料が消費され大径先端部が肌に接触することがあっても、肌を傷付けることが無い。
【００１１】
また、棒状体は、第一突部より後端部側で容器外の位置に、容器の底部外面に掛止されて当該棒状体の容器からの出過ぎを阻止する第二突部を備えていると、棒状化粧料が好適に塗布されると共に商品としての見映えが良くされる。
【００１２】
また、棒状体が挿通する容器底部の貫通孔は、その周面の二箇所以上に、軸線方向に突出し棒状体との間に摩擦抵抗を生じる突部を備えていると、棒状体が製造誤差等で径が多少大きくされても、棒状体は、容器の貫通孔周面の突部及び当該棒状体の少なくとも一方が変形することで突部間を通ると共に、突部との摩擦抵抗に従って容器との位置を所望の位置で留めることが可能とされる。
【００１３】
【発明の実施の形態】
以下、本発明による化粧料容器の好適な実施形態について図１〜図９を参照しながら説明する。図１〜図５は、第一実施形態の化粧料容器を示す各図、図６は、第二実施形態の化粧料容器を示す図、図７及び図８は、第三実施形態の化粧料容器を示す各図、図９は、第四実施形態の化粧料容器を示す図であり、本実施形態の化粧料容器は、例えば、口紅、アイカラー、アイシャドウ等の棒状化粧料を収容し、使用者が必要に応じて適宜出没可能とする化粧料容器である。
【００１４】
先ず、図１〜図５に示す第一実施形態の化粧料容器について説明する。図１は、化粧料容器の正面図、図２は、化粧料容器の下面図、図３は、図２のＩＩＩ−ＩＩＩ断面図、図４は、棒状化粧料が押出限迄押し出されている状態図、図５は、図４の要部拡大図である。
【００１５】
図１及び図３に示すように、化粧料容器１は、カップ状の容器２と、図３に示すように、容器２に収容される棒状化粧料Ｍを先端部に保持し、使用者により押し出し／引き込みされることで当該棒状化粧料Ｍを容器２から出没可能とする棒状体３と、を備えている。
【００１６】
容器２は、例えば樹脂等で成形され、棒状化粧料Ｍを収容する凹部２ａが凹設されると共に、その底部に、凹部２ａと外部とを連通し棒状体３が挿通する横断面円形状の貫通孔２ｂを軸線に沿って備えている。
【００１７】
この容器２の貫通孔２ｂには、その下端部周面に、図２、図３及び図５に示すように、リブ（突部）２ｃが突設されている。このリブ２ｃは、棒状体３に対して摩擦抵抗を生じさせるためのもので、図２に示すように、横断面半円形状を成し周方向四等配の位置に配置されている。なお、このカップ状の容器２としては、例えばチューリップ等の花形状等を採用し美観を高めるのが好ましい。
【００１８】
一方、棒状体３は、横断面円形状を成し、例えばポリプロピレン等の柔軟性樹脂で成形され、図３に示すように、容器２の貫通孔２ｂを挿通すると共にその先端側が容器２内（凹部２ａ内）に進入している。
【００１９】
この棒状体３の先端部は、軸径に比して大径で角部の無い略球状の大径先端部３ａとされ、この大径先端部３ａに貫通孔３ｂを備えている。
【００２０】
また、棒状体３は、大径先端部３ａより後端部側で容器２内の位置に、第一突部３ｃを備えている。この第一突部３ｃは、貫通孔２ｂの径より多少大径の環状の鍔部に構成され、大径先端部３ａが容器２内に没する状態で容器２の底部内面に掛止されて容器２の貫通孔２ｂを塞ぐ。
【００２１】
さらに、棒状体３は、第一突部３ｃより後端部側で容器２外の位置に、第二突部３ｄを備えている。この第二突部３ｄは、突部が外方を向く半楕円体（楕円体を半分にした形状）に構成され、図２に示すように、周方向四等配の位置に配置されている。これらの第二突部３ｄは、容器２の貫通孔２ｂのリブ２ｃ，２ｃ間に位置すると共に各最大突部が貫通孔２ｂより多少大径とされ、図４に示すように、大径先端部３ａが容器２から突出する状態で容器２の底部外面に掛止される。
【００２２】
そして、棒状体３は、図３に示すように、当該棒状体３の第一突部３ｃが容器２の底部内面に掛止した状態で、当該棒状体３の容器２内の部分の周面に、容器２内に充填され固化された棒状化粧料Ｍを保持する構成とされている。
【００２３】
このような構成の化粧料容器１を製造するにあたっては、先ず、棒状体３を、その後端部から容器２の凹部２ａへ挿入し、第二突部３ｄが容器２の貫通孔２ｂのリブ２ｃ，２ｃ間に位置するようにして貫通孔２ｂに通していく。
【００２４】
すると、棒状体３は、容器２の対向する四個のリブ２ｃ，２ｃ間に達し、当該リブ２ｃとの間に挟まれ摩擦抵抗を生じながら移動していく（図２参照）。
【００２５】
ここで、例えば容器２にリブ２ｃが無い構成で容器２の貫通孔と棒状体３との間で摩擦抵抗を生じるように容器２及び棒状体３を製造する場合には、棒状体３の外径と容器２の貫通孔径とが高精度に製造されて棒状体３の外径が容器２の貫通孔径に比して若干大きくされることが必要とされるが、棒状体３が製造誤差等で多少大きく製造されると、棒状体３が容器２の貫通孔を通らなくなる。
【００２６】
しかしながら、本実施形態では、貫通孔２ｂの周面にリブ２ｃが設けられているため、棒状体３が製造誤差等で径が多少大きくされていても、当該棒状体３は、容器２のリブ２ｃ及び当該棒状体３の少なくとも一方が弾性変形することで、突部２ｃ，２ｃ間を通る。従って、容器２及び棒状体３に対して高精度な製造は然程要求されず、製造コストの低減が図られている。
【００２７】
そして、さらに上記棒状体３を、リブ２ｃとの間で摩擦抵抗を生じながら移動していくと、棒状体３の第二突部３ｄが容器２の貫通孔２ｂの周面に突き当たる。この場合には、棒状体３を強い力で押し込む。すると、棒状体３の第二突部３ｄは、当該棒状体３の第二突部３ｄ及び容器２の貫通孔２ｂの少なくとも一方が弾性変形することで、容器２の貫通孔２ｂを通過し（図２参照）、さらに、棒状体３を、第一突部３ｃが容器２の底部内面に掛止される迄押し込むことで、図１に示す状態の化粧料容器が得られる。
【００２８】
次に、棒状化粧料Ｍを棒状体３に保持させる場合について説明する。この場合には、先ず、容器２を、その開口が上へ向くように配置し、棒状体３の第一突部３ｃが容器２の底部内面に掛止した状態として大径先端部３ａが容器２内に没した状態とする。次いで、充填機で、液状に溶けている化粧料を容器２内に満たすように充填する。
【００２９】
この時、棒状体３の環状の鍔部を成す第一突部３ｃが、図３に示すように、容器２の底部内面に掛止されて貫通孔２ｂを塞いでいるため、液状の化粧料が、第一突部３ｃより下方へ流れ出る（容器２外へ流出する）ことは無く化粧料による汚れの発生が回避されている。この液状の化粧料は、容器２内に満たされていき、棒状体３の大径先端部３ａの貫通孔３ｂにも流れ込んでいく。
【００３０】
そして、この状態で当該化粧料を放置し固化することで、容器２の凹部２内に収容される形状を成すと共に棒状体３の容器２内の部分の周面に保持される棒状化粧料Ｍが得られ、図３に示す状態の化粧料容器１が得られる。このように、容器２に化粧料を充填するのみで棒状化粧料Ｍが得られるため、製造が容易とされている。
【００３１】
次に、このような化粧料容器１により棒状化粧料Ｍを塗布する場合について説明する。この場合には、棒状体３と容器２とを掴み、棒状体３の下部が容器２へ接近する方向へ（容器２にあっては図１の下方へ、棒状体３にあっては図１の上方へ）相対移動する。ここでは、棒状体３を押し出すものとして説明する。
【００３２】
すると、棒状体３は、リブ２ｃとの間で摩擦抵抗を生じながら押し出されていき、これに伴い、棒状化粧料Ｍが容器２から押し出されていく。ここで、容器２は、その凹部２ａが、開口に向かって徐々に拡大する勾配を有しているのが好ましく、この勾配に従って、充填・固化された棒状化粧料Ｍが容器２から綺麗に剥がれることになる。
【００３３】
そして、棒状体３を押し出している際に、使用者が容器２又は棒状体３から手を離しても、上記摩擦抵抗に従って、棒状体３、容器２は互いに移動することは無く、棒状体３（棒状化粧料Ｍ）と容器２とは任意の位置で留められる。従って、棒状化粧料Ｍを所望の位置迄押し出したら、この状態で、使用者は棒状体３を持って棒状化粧料Ｍを塗布すれば良い。
【００３４】
この時、棒状体３の大径先端部３ａが、角部の無い形状に構成されているため、棒状化粧料Ｍの使用に従って棒状化粧料Ｍが消費され大径先端部３ａが肌に接触することがあっても、肌を傷付けることが無く、商品の安全性が確保されている。
【００３５】
ここで、上記棒状体３を、例えば棒状化粧料Ｍの消費等に従ってさらに押し出していくと、図４及び図５に示すように、棒状体３の第二突部３ｄが容器２の底部外面に掛止され、これにより、棒状体３は押出限に達しそれ以上の押し出しが阻止される。このため、棒状体３の容器２からの出過ぎが阻止され、棒状化粧料Ｍを好適に塗布することが可能とされていると共に商品としての見映えを良くすることが可能とされている。
【００３６】
このような塗布が終わったら、使用者が棒状体３を引き込むことで、棒状化粧料Ｍが容器２内に収容されていく。そして、図３に示すように、棒状体３の第一突部３ｃが容器２の底部内面に掛止されることより、棒状体３は引込限に達しそれ以上の引き込みが阻止され、棒状化粧料Ｍが容器２内に収容されることになる。
【００３７】
ところで、従来の実公平６−２１３９１号に記載の化粧料容器にあっては、上記のように棒状化粧料を塗布する際、出没する際、又、化粧料容器を落としてしまった等の場合に、棒状化粧料が保持体（実公平６−２１３９１号に記載の内筒）から離脱し易い。
【００３８】
しかしながら、本実施形態にあっては、前述したように、棒状体３の棒状化粧料Ｍを保持する先端部が大径先端部３ａとされているため、棒状化粧料Ｍとの接触面積が拡大されていると共に棒状化粧料Ｍの離脱が妨げられ、棒状化粧料Ｍの保持力が従来に比して増大されていると共に、容器２の底部内面に棒状体３の第一突部３ｃが掛止されるため、棒状体３を引き込み過ぎての容器２による棒状化粧料Ｍの棒状体３からの剥離が防止されている。従って、棒状化粧料Ｍの棒状体３からの離脱が十分に防止されている。
【００３９】
また、第一突部３ｃが環状の鍔部とされて容器２の底部内面に掛止した状態で、棒状体３の容器２内の部分の周面に、容器２内に充填され固化した棒状化粧料Ｍが保持されているため、棒状化粧料Ｍが、大径先端部３ａと第一突部３ｃとの間に挟持されるように保持されている。従って、棒状体３の棒状化粧料Ｍに対する保持力が一層増大され、棒状化粧料Ｍの棒状体３からの離脱が一層十分に防止されている。
【００４０】
また、大径先端部３ａには貫通孔３ｂが設けられているため、この貫通孔３ｂにより、棒状化粧料Ｍとの接触面積が一層拡大されていると共に棒状化粧料Ｍの離脱の一層の妨げとされている。従って、棒状体３の棒状化粧料Ｍに対する保持力が一層増大され、棒状化粧料Ｍの棒状体３からの離脱が一層十分に防止されている。
【００４１】
すなわち、特に本実施形態の化粧料容器１にあっては、棒状化粧料Ｍの棒状体３からの離脱が十分に防止されていて、化粧料容器１の品質が向上されている。
【００４２】
図６は、本発明の第二実施形態に係る化粧料容器の図２のＩＩＩ−ＩＩＩ線に対応する断面図である。
【００４３】
この第二実施形態の化粧料容器１１が第一実施形態の化粧料容器１と違う点は、第一実施形態の棒状体３に代えて、環状の鍔部を皿状に構成して成る第一突部１３ｃを備え他の構成が棒状体３と同様の棒状体１３を用いた点である。
【００４４】
この棒状体１３の第一突部１３ｃは、大径の皿上部と小径の皿下部とを備えて、大径の皿上部が、容器２の凹部２ａに摺接し液状の化粧料のこれ以上下方への流出を阻止し、小径の皿下部が、容器２の底部内面に掛止されて貫通孔２ｂを塞ぎ液状の化粧料のこれ以上下方への流出を阻止する構成とされている。
【００４５】
このように構成しても、第一実施形態と同様な効果を得ることができるというのはいうまでもなく、加えて、第一突部１３ｃの皿上部、皿下部が、液状の化粧料の流下を二重に阻止するため、化粧料による汚れの発生が一層回避されるという効果がある。
【００４６】
図７は、本発明の第三実施形態に係る化粧料容器の棒状体を示す正面図、図８は、図７に示す棒状体の側面図である。
【００４７】
この第三実施形態の棒状体２３が第一実施形態の棒状体３と違う点は、棒状体２３からの棒状化粧料Ｍの離脱を一層妨げるべく、大径先端部２３ａを軸径に比して大径の略立方体状に構成すると共に、この大径先端部２３ａに断面台形状の貫通孔２３ｂを設け、且つ、図８に示すように、当該大径先端部２３ａの貫通孔２３ｂの端面を周囲の面に比して凹む構成とし、加えて、肌を傷付けないように大径先端部２３ａの周縁を角部の無いＲ形状とした点であり、また、第一突部２３ｃを、底面に向かって末広とする環状の鍔部に構成すると共に、この第一突部２３ｃの底面を、容器２の底部内面に密着し液状の化粧料の流下を一層阻止するフラット面とした点であり、また、第二突部２３ｄを、底面に向かって末細とする環状の鍔部に構成すると共に、この第二突部２３ｄの上面を、容器２の底部外面に密着するフラット面とした点である。
【００４８】
このように構成することで、第一実施形態に比してその作用・効果を高めることが可能である。
【００４９】
図９は、本発明の第四実施形態に係る化粧料容器の対向するリブを含む面での縦断面図であり、棒状化粧料が押出限迄押し出されている状態を示す縦断面図である。
【００５０】
この第四実施形態にあっては、棒状化粧料Ｍ１の形状が先の実施形態の棒状化粧料Ｍに対して相違している。この棒状化粧料Ｍ１の形状の相違は、製造の違いに起因している。
【００５１】
すなわち、この第四実施形態においては、液状に溶けている化粧料に対して、容器２を逆さまに配置し、棒状体１３の第二突部３ｄが容器２の底部外面に掛止した状態で、容器２から下方に突出している棒状体３の大径先端部３ａを、液状に溶けている化粧料に浸漬しその後上方へ上げ（所謂ディッピング）、その状態で化粧料を放置し固化させることで、図９に示す棒状化粧料Ｍ１を有する化粧料容器２１が得られている。
【００５２】
このような化粧料容器２１であっても、先の各実施形態と略同様な効果を得ることができる。
【００５３】
なお、この第四実施形態にあっては、容器２の凹部２ａへ液状の化粧料を流し込んで充填する構成では無く貫通孔２ｂへの化粧料の流下の虞が無いため、棒状体１３の第一突部１３ｃは環状の鍔部の必要は無く、第二突部３ｄのような周方向に連続しない複数の突部であっても良い。
【００５４】
以上、本発明をその実施形態に基づき具体的に説明したが、本発明は上記実施形態に限定されるものではなく、例えば、上記実施形態においては、容器２のリブ２ｃを横断面半円形状としているが、横断面三角形状等としても良く、棒状体３に対して軸線方向の線接触となる形状が特に好ましい。また、リブ２ｃの個数も四個に限定されるものではなく、対向する二個や、三個、五個以上であっても良い。また、製造誤差等を考慮して設けられている上記リブ２ｃは、棒状体３，１３，２３が容器２の底部の貫通孔２ｂを通ると共に当該棒状体３，１３，２３と貫通孔２ｂとの間で摩擦抵抗が生じるように製造されれば、無くても良い。
【００５５】
さらにまた、上記棒状体の大径先端部、第一突部、第二突部の形状は、勿論上記各実施形態のものに限定されるものではない。
【００５６】
【発明の効果】
本発明による化粧料容器は、棒状体をカップ状の容器の底部に挿通し、この棒状体の第一突部を容器の底部内面に掛止した状態で、容器内に位置する棒状体先端部の周面に棒状化粧料を保持して、当該棒状化粧料を容器内に収容すると共に、棒状体を摺動可能として棒状化粧料を容器から押出可能とし、この棒状化粧料を保持する先端部を、棒状化粧料との接触面積を拡大すると共に棒状化粧料の離脱の妨げとなる大径先端部として、棒状化粧料の保持力を従来に比して増大し、加えて、容器の底部内面に棒状体の第一突部を掛止し、棒状体を引き込み過ぎての容器による棒状化粧料の棒状体からの剥離を防止するように構成したものであるから、棒状化粧料の棒状体からの離脱が十分に防止され、化粧料容器の品質を向上することが可能となる。
【図面の簡単な説明】
【図１】本発明の第一実施形態に係る化粧料容器を示す正面図である。
【図２】図１に示す化粧料容器の下面図である。
【図３】図２のＩＩＩ−ＩＩＩ断面図である。
【図４】図３の化粧料容器の棒状化粧料が押出限迄押し出されている状態を示す断面図である。
【図５】図４に示す容器のリブ及び棒状体の第二突部の拡大断面図である。
【図６】本発明の第二実施形態に係る化粧料容器の図２のＩＩＩ−ＩＩＩ線に対応する断面図である。
【図７】本発明の第三実施形態に係る化粧料容器の棒状体を示す正面図である。
【図８】図７に示す棒状体の側面図である。
【図９】本発明の第四実施形態に係る化粧料容器の対向するリブを含む面での縦断面図であり、棒状化粧料が押出限迄押し出されている状態を示す縦断面図である。
【符号の説明】
１，１１，２１…化粧料容器、２…容器、２ａ…凹部、２ｂ…容器の貫通孔、２ｃ…容器のリブ（突部）、３，１３，２３…棒状体、３ａ，２３ａ…棒状体の大径先端部、３ｂ，２３ｂ…大径先端部の貫通孔、３ｃ，１３ｃ，２３ｃ…棒状体の第一突部、３ｄ，２３ｄ…棒状体の第二突部、Ｍ，Ｍ１…棒状化粧料。
【図１】
2004290276.tif 000003
【図２】
2004290276.tif 000004
【図３】
2004290276.tif 000005
【図４】
2004290276.tif 000006
【図５】
2004290276.tif 000007
【図６】
2004290276.tif 000008
【図７】
2004290276.tif 000009
【図８】
2004290276.tif 000010
【図９】
2004290276.tif 000011